(57)【要約】【課題】広告効果が得られ、電動シャッターに付けられる捲き戻し式広告スクリーンを提供する。【解決手段】捲き戻し装置が含有され、電動シャッターの上枠の外側面に実装される捲き戻し装置にベース体があり、ベース体の内部にリールが軸設され、リールが弾性素子により弾性的に回転され、また、リールに連結されるスクリーンの外側面に広告図柄や文字があり、その下端が電動シャッターの捲き式ドアの下端に連結され、スクリーンが捲き式ドアの締まりとともに下へ引張られると、外側面にある広告図柄や文字が展開されて広告効果が得られる電動シャッターに付けられる捲き戻し式広告スクリーンである。【選択図】図３
2007211438.tif 000002
【特許請求の範囲】
【請求項１】
電動シャッターの上枠と捲き式ドアの下端に実装される電動シャッターに付けられる捲き戻し式広告スクリーンであって、
ベース体があり、電動シャッターの上枠の外側面に実装され、当該ベース体の内部にリールが軸設され、当該軸設が、弾性素子により弾性的に回転される捲き戻し装置と、
シート状体であり、外側面に広告図柄や文字があり、上端が捲き戻し装置のリールに連結され、もう一端が固定素子により捲き式ドアの下端に固定され、捲き式ドアが締まられる時、同期に下へ引張られ、外側面にある広告図柄や文字が展開されて捲き式ドアの外側において広告効果が得られ、また、捲き式ドアの開放とともにリールに捲き戻されるスクリーンと、
が含有される、
ことを特徴とする電動シャッターに付けられる捲き戻し式広告スクリーン。
【請求項２】
当該弾性素子は、竹の子ばねであることを特徴とする請求項１に記載の電動シャッターに付けられる捲き戻し式広告スクリーン。
【請求項３】
当該竹の子ばねは、一端がベース体に連結され、もう一端がリールに連結され、予定の方向へ回転するリールに、回復ねじり力を印加することを特徴とする請求項１に記載の電動シャッターに付けられる捲き戻し式広告スクリーン。
【請求項４】
当該固定素子は、磁気吸引素子であり、当該磁気吸引素子は、当該捲き式ドアの下端に吸着することを特徴とする請求項１に記載の電動シャッターに付けられる捲き戻し式広告スクリーン。
【請求項５】
当該固定素子は、フックであり、当該フックは、当該捲き式ドアの下端にフックすることを特徴とする請求項１に記載の電動シャッターに付けられる捲き戻し式広告スクリーン。
【発明の詳細な説明】
【技術分野】
【０００１】
本発明は、広告スクリーンに関し、特に、電動シャッターに付けられて、捲き式ドアの締まりとともに広告効果が得られる捲き戻し式広告スクリーンに関する。
【背景技術】
【０００２】
賑やかな商店街において、広告看板が林立し、営業時間に、店が、広告看板を変化して消費者の視線を吸引するだけでなく、休憩や非営業時間に、広告効果が得られるため、実装された電動シャッターに、パターニングすることや貼りつけることにより、様々の広告図柄や文字が形成される。しかし、既存の方式によると、電動シャッターが整然的ではないため、広告の図柄や文字が綺麗ではなく、また、広告を変更する時、手間や時間が掛かるから、より良い広告効果が得られ、より便利的且つ実用的なものが要求される。
【発明の開示】
【発明が解決しようとする課題】
【０００３】
本発明の目的は、より良い広告効果が得られ、より便利的且つ実用的なものである、電動シャッターに付けられる捲き戻し式広告スクリーンを提供する。
【課題を解決するための手段】
【０００４】
本発明は、上記の目的を提供するために、捲き戻し装置が含有され、電動シャッターの上枠の外側面に実装される当該捲き戻し装置は、ベース体があり、当該ベース体の内部にリールが軸設され、当該リールが、弾性素子により弾性的に回転され、また、当該リールに連結されるスクリーンの外側面に、広告図柄や文字があり、その下端が、電動シャッターの捲き式ドアの下端に連結され、当該スクリーンが、捲き式ドアの締まりとともに、下へ引張られると、外側面にある広告図柄や文字が展開されて広告効果が得られる電動シャッターに付けられる捲き戻し式広告スクリーンである。
【発明を実施するための最良の形態】
【０００５】
図１〜３は、本発明に係わる、電動シャッターに付けられる捲き戻し式広告スクリーンのより良い実施例であり、当該電動シャッター１０は、将来の構造を有し、上枠１１があり、当該上枠１１の内部に実装されるリール１２が、電動機(図に未表示)により、正、逆に回転でき、また、当該リール１２に連結される捲き式ドア１３が、リール１２に捲き戻されると、開放状態になり、リール１２の回転に従って、下へ下ろされて地面に接触すると、締まり状態になり、また、捲き戻し式広告スクリーン２０は、捲き戻し装置２１とスクリーン２２と固定素子２３とが含有され、
当該捲き戻し装置２１は、図４のように、ベース体２１１があり、電動シャッター１０の上枠１１の外側面に実装され、当該ベース体２１１の内部にリール２１２が軸設され、また、当該リール２１２とベース体２１１との間に、弾性素子２１３が設けられ、本実施例において、竹の子ばねを使用し、当該竹の子ばねの一端が、ベース体２１１に連結され、もう一端が、リール２１２に連結され、リール２１２が予定の方向へ回転する時、竹の子ばねが緊密に捲かれるため、回復ねじり力がリール２１２に印加し、
当該スクリーン２２は、シート状体であり、その外側面に、印刷やペインティング或いはパターニング等の方式により、広告図柄や文字が形成され、その上端が、捲き戻し装置２１のリール２１２に連結され、下端の内側に当該固定素子２３が設置され、当該固定素子２３が、磁気吸引素子で、当該捲き式ドア１３の下端に吸着することにより、当該スクリーン２２の下端が、当該捲き式ドア１３に固定される。
【０００６】
以下、本発明の構造特長や技術手段及び効果について、詳しく説明する。
【０００７】
本発明は、図３と５を参照しながら、電動シャッターに付けられる捲き戻し式広告スクリーンであり、幅広く一般の住屋や店等の電動シャッター１０に適用でき、使用する時、当該スクリーン２２の下端が、当該固定素子２３により、電動シャッター１０の捲き式ドア１３の下端に固定されるため、住民や店の人が休憩する時、電動シャッター１０の捲き式ドア１４を下へ下ろして締まる状態になると、当該スクリーン２２が、捲き式ドア１３とともに、捲き式ドア１３が完全に下ろされるまで、下へ下ろされ、これにより、当該スクリーン２２は、当該捲き式ドア１３の外側面を覆うように、完全に展開され、この時、当該スクリーン２２の外側面にある広告図柄や文字により、捲き式ドア１３と同じ面積の広告効果が得られ、また、当該スクリーン２２が下へ引張られると、上端にあるリール２１２が回転し、弾性素子２１３が緊密に捲かれるため、回復ねじり力がリール２１２に印加し、これにより、住民や店の人が捲き式ドア１３を開放する時、図６のように、当該スクリーン２２が、自動的にベース体２１１の内部のリール２１２に捲き戻される。
【０００８】
図７は、本発明の電動シャッターに付けられる捲き戻し式広告スクリーンの他の実施例であり、主な機能が、前記の実施例と同じであるため、ここでは、説明を省略し、その特長として、当該スクリーン２２は、下端に、フックである固定素子２４が設けられ、当該固定素子２４を当該捲き式ドア１３の下端にフックすることができる。
【０００９】
本発明によれば、下記の効果が得られる。
【００１０】
１、本発明に係わるスクリーン２２は、電動シャッター１０の締まりとともに、自動的に広告効果が得られる。
【００１１】
２、本発明に係わるスクリーン２２は、展開される時、その表面が整然的で、捲き式ドア１３と同じ程度の広告面積が得られ、優れた広告効果を発揮できる。
【００１２】
３、本発明に係わるスクリーン２２は、電動シャッター１０の捲き式ドア１４の色や図柄を変更しなく、また、広告を変更する場合、直接にスクリーン２２を交換すればよく、使用上、極めて便利である。
【００１３】
４.本発明に係わるスクリーン２２は、捲き式ドア１３の開放とともに、ベース体２１１の内部のリール２１２に捲き戻されて収納され、スクリーンを保護できるため、耐用寿命が向上される。
【００１４】
５、本発明に係わる広告スクリーン２０のベース体２１１とスクリーン２２は、取り外すことができるように、電動シャッター１０の上枠１１と捲き式ドア１３の下端に実装されるため、簡単に取り外すことができ、また、他の電動シャッター１０に実装することも簡単で、重複的に使用できる利点がある。
【図面の簡単な説明】
【００１５】
【図１】本発明に係わる捲き戻し式広告スクリーンの電動シャッターが締まり状態である時の外観組立て図
【図２】本発明に係わる捲き戻し式広告スクリーンの電動シャッターが締まり状態である時の立体分解図
【図３】本発明に係わる捲き戻し式広告スクリーンの電動シャッターが締まり状態である時の側面図
【図４】本発明に係わる捲き戻し装置の一部の立体分解図
【図５】本発明に係わる捲き戻し式広告スクリーンの作動の側面概念図
【図６】本発明に係わる捲き戻し式広告スクリーンの電動シャッターが開放状態である時の側面概念図
【図７】本発明に係わる捲き戻し式広告スクリーンの他の実施例
【符号の説明】
【００１６】
１０        電動シャッター
１１        上枠
１２        リール
１３        捲き式ドア
２０        広告スクリーン
２１        捲き戻し装置
２１１      ベース体
２１２      リール
２１３      弾性素子
２２        スクリーン
２３        固定素子
２４        固定素子
【図１】
2007211438.tif 000003
【図２】
2007211438.tif 000004
【図３】
2007211438.tif 000005
【図４】
2007211438.tif 000006
【図５】
2007211438.tif 000007
【図６】
2007211438.tif 000008
【図７】
2007211438.tif 000009